(57)【要約】【目的】既設波形屋根に新設屋根を施工するために、固定する既設ボルトが腐食して、再利用が困難なものに適用できる改修屋根とすること。【構成】構造材２上に既設ボルト３を介して葺成される既設波形屋根Ａと、幅方向両端から脚部５２が形成されたベース板５１とその上方に位置する屋根受け部５３とからなる支持具５と、筋状割部６１を有する締付ナット６と、新設屋根板材Ｂとからなること。既設波形屋根Ａの弧状山形部１１上に支持具５が載置されると共に取付用貫通孔５４に螺子軸部３１が遊挿され、ベース板５１上から締付ナット６にて螺合されると共に筋状割部６２を介してカシメにて変形されて螺子軸部３１に固定され、支持具５の屋根受け部５３に新設屋根板Ｂが載置固着されること。【選択図】      図１
2013227735.tif 000002
【特許請求の範囲】
【請求項１】
構造材上に既設ボルトを介して葺成され且つ弧状山形部と弧状底部とが連続する既設波形屋根と、前記既設ボルトの螺子軸部が貫通する取付用貫通孔が形成されたベース板部と該ベース板部の幅方向両端から形成された脚部と前記ベース板より上方に位置する屋根受け部とからなる支持具と、軸方向端部から軸方向中間箇所との間に亘って形成された筋状割部を有する締付ナットと、新設屋根板材とからなり、前記弧状山形部上に前記支持具が載置されると共に前記取付用貫通孔に前記螺子軸部が遊挿され、前記ベース板上から前記締付ナットにて螺合されると共に該締付ナットは前記筋状割部を介してカシメにて変形されて前記螺子軸部に固定され、前記支持具の屋根受け部に新設屋根板が載置固着されてなることを特徴とする改修屋根。
【請求項２】
請求項１において、前記締付ナットは、カシメによって前記筋状割部の離間幅が縮小されてなることを特徴とする改修屋根。
【請求項３】
請求項１又は２において、前記締付ナットの筋状割部は、１本形成されてなることを特徴とする改修屋根。
【請求項４】
請求項１又は２において、前記締付ナットの筋状割部は、複数形成されてなることを特徴とする改修屋根。
【請求項５】
請求項１，２，３又は４のいずれか１項の記載において、前記締付ナットの軸方向中間部に位置する前記筋状割部側の端部には、該筋状割部の離間幅よりも大なる孔部が形成されてなることを特徴とする改修屋根。
【請求項６】
請求項１，２，３，４又は５のいずれか１項の記載において、前記締付ナットは、前記筋状割部の端部開放側をベース板部と反対側となることを特徴とする改修屋根。
【請求項７】
請求項１，２，３，４又は５のいずれか１項の記載において、前記締付ナットは、前記筋状割部の端部開放側をベース板部に対向させてなることを特徴とする改修屋根。
【発明の詳細な説明】
【技術分野】
【０００１】
本発明は、断面波形状のスレート等の既設波形屋根上に新設屋根を葺成してなる改修屋根であって、特に既設波形屋根を固定する既設ボルトが腐食して、再利用が困難なものに適用することができる改修屋根に関する。
【背景技術】
【０００２】
従来よりスレートによる断面波形状の屋根が多く施工されている。これらが長期の使用により、老朽化したり、或いは脆くなったりして、雨水が浸入するようになると、新たな屋根に葺き替える必要が生じ、そのために、既設の屋根を撤去し、新たなる屋根を葺成するか、或いは既設のスレート屋根をそのまま残して、その上に新たなる屋根を葺成する改修屋根が多く存在している。この改修屋根において、既設波形屋根板は構造材に設けられたボルト及びナットにより固着されている。
【先行技術文献】
【特許文献】
【０００３】
【特許文献１】特開２００１−２６２７８４号公報
【発明の概要】
【発明が解決しようとする課題】
【０００４】
そこで、既設波形屋根上に新設屋根を葺成するときには、特許文献１に開示されているように、この既設ボルトを利用して、長ナットを螺合させ、該長ナットを介して既設波形屋根の山形頂部にサドル材を固着し、該サドル材上に新設屋根板を葺成することが多い。
【０００５】
ところが、既設波形屋根が施工から長期に亘って使用されているうちに、既設ボルトが腐食するなどして劣化し、錆が発生して螺子部の螺子径が細くなったり、螺子山が潰れたりして、通常の螺子径を有する長ナットを螺合し難くなり、また、無理に締め付けると既設ボルトが切断し、あるいは折損する等の事態が生じるおそれが十分にある。
【０００６】
そこで、本発明の目的（解決しようとする技術的課題）は、既設ボルトが腐食等の劣化によって、通常のナットが使用できず、既設ボルトの再利用が困難な既設波形屋根であっても、その既設ボルトを再利用して新設屋根を葺成することである。
【課題を解決するための手段】
【０００７】
そこで発明者は、前記課題を解決すべく、鋭意，研究を重ねた結果、請求項１の発明を、構造材上に既設ボルトを介して葺成され且つ弧状山形部と弧状底部とが連続する既設波形屋根と、前記既設ボルトの螺子軸部が貫通する取付用貫通孔が形成されたベース板部と該ベース板部の幅方向両端から形成された脚部と前記ベース板より上方に位置する屋根受け部とからなる支持具と、軸方向端部から軸方向中間箇所との間に亘って形成された筋状割部を有する締付ナットと、新設屋根板材とからなり、前記弧状山形部上に前記支持具が載置されると共に前記取付用貫通孔に前記螺子軸部が遊挿され、前記ベース板上から前記締付ナットにて螺合されると共に該締付ナットは前記筋状割部を介してカシメにて変形されて前記螺子軸部に固定され、前記支持具の屋根受け部に新設屋根板が載置固着されてなる改修屋根としたことにより、上記課題を解決した。
【０００８】
請求項２の発明を、請求項１において、前記締付ナットは、カシメによって前記筋状割部の離間幅が縮小されてなる改修屋根としたことにより、上記課題を解決した。請求項３の発明を、請求項１又は２において、前記締付ナットの筋状割部は、１本形成されてなる改修屋根としたことにより、上記課題を解決した。請求項４の発明を、請求項１又は２において、前記締付ナットの筋状割部は、複数形成されてなる改修屋根としたことにより、上記課題を解決した。
【０００９】
請求項５の発明を、請求項１，２，３又は４のいずれか１項の記載において、前記締付ナットの軸方向中間部に位置する前記筋状割部側の端部には、該筋状割部の離間幅よりも大なる孔部が形成されてなる改修屋根としたことにより、上記課題を解決した。
【００１０】
請求項６の発明を、請求項１，２，３，４又は５のいずれか１項の記載において、前記締付ナットは、前記筋状割部の端部開放側をベース板部と反対側となるようにしてなる改修屋根としたことにより、上記課題を解決した。請求項７の発明を、請求項１，２，３，４又は５のいずれか１項の記載において、前記締付ナットは、前記筋状割部の端部開放側をベース板部に対向させてなる改修屋根としたことにより、上記課題を解決した。
【発明の効果】
【００１１】
請求項１の発明では、締付ナットを軸方向端部から軸方向中間箇所との間に亘って筋状割部を形成したものであり、通常のナットよりも軸方向に長い長ナットタイプとすることによって、ナットの直径方向から圧縮するように外力を加えることで、前記筋状割部から容易にカシメを行うことができ、締付ナットの直径方向に変形させることができる。これによって、締付ナットの内螺子部の軸方向に直交する断面は、略楕円形状にすることができる。
【００１２】
したがって、既設波形屋根の既設ボルトが腐食によって螺子部直径が細くなったり、或いは螺子山が潰れてしまったものであっても、本発明における締付ナットによって既設ボルトに螺合し、締付ナットに直径方向に外力を与えて圧縮するようにカシメを行うことによって、締付ナットと既設ボルトとは相互に螺子山が噛み合うこととなり、締付ナットを劣化した既設ボルトに強固に固着することができる。これによって、支持具は、前記締付ナットによって、既設波形屋根に強固に装着することができ、ひいては、新設屋根板の施工を良好にできるものである。
【００１３】
請求項２の発明では、締付ナットは、カシメによって前記筋状割部の離間幅が縮小されることにより、カシメによる変形部位を筋状割部に集中させることができ、締付ナットの筋状割部以外の部分に不要な変形を生じさせないものにできる。したがって、締付ナットでは、内螺子の変形も最小限に抑えることができ、カシメ変形した締付ナットと既設ボルトとの螺合状態をより一層良好にすることができる。
【００１４】
請求項３の発明では、締付ナットの筋状割部は、１本形成されたことにより、締付ナットの形状を極めて簡単にでき、通常の長ナットを利用して締付ナットを製造する際にも極めて簡単にできる。請求項４の発明では、締付ナットの筋状割部は、複数形成された構成により、締付ナットをカシメにより変形させたときの変形状態をより一層大きくすることができ、特に腐食して直径が小さくなった既設ボルトに対して好適なものにできる。
【００１５】
請求項５の発明では、締付ナットの軸方向中間部に位置する前記筋状割部側の端部には、該筋状割部の離間幅よりも大なる孔部が形成されてなる改修屋根としたことにより、締付ナットをカシメたときに、筋状割部は前記孔部を介して、より一層、その離間幅を狭めるように変形することができるものである。
【００１６】
請求項６の発明では、締付ナットは、前記筋状割部の端部開放側をベース板部と反対側となる改修屋根としたことにより、特に既設ボルトの上方側の領域の腐食が激しい場合に好適である。請求項７の発明では、締付ナットは、前記筋状割部の端部開放側をベース板部に対向させてなる改修屋根としたことにより、特に既設ボルトの下方側の領域の腐食が激しい場合に好適である。
【図面の簡単な説明】
【００１７】
【図１】（Ａ）は本発明において既設波形屋根の既設ボルトに支持具及び締付ナットを装着した要部斜視図、（Ｂ）は（Ａ）の（ア）部拡大図、（Ｃ）は（Ａ）のＹ1−Ｙ1矢視断面図、（Ｄ）は（Ｃ）のＹ2−Ｙ2矢視断面図である。
【図２】（Ａ）乃至（Ｃ）は本発明において既設波形屋根の腐食した既設ボルトに締付ナットを螺合装着する工程を示す要部断面図である。
【図３】（Ａ）は筋状割部が１本形成された締付ナットの斜視図、（Ｂ）は筋状割部の終端に開き孔が形成された締付ナットの斜視図、（Ｃ）は筋状割部が複数形成された締付ナットの斜視図である。
【図４】（Ａ）は第１タイプの支持部材の斜視図、（Ｂ）は第２タイプの支持部材の斜視図、（Ｃ）は第３タイプの支持部材の斜視図である。
【図５】（Ａ）は筋状割部の解放側を支持部材のベース板部側に対向させるようにして既設ボルトに螺合しようとする行程の要部断面図、（Ｂ）は筋状割部の解放側を支持部材のベース板部側に対向させて既設ボルトに螺合しカシメ変形させた行程の要部断面図である。
【図６】（Ａ）は本発明における改修屋根の正面略示図、（Ｂ）は（Ａ）の（イ）部拡大図、（Ｃ）は（Ｂ）のＹ3−Ｙ3矢視断面図である。
【発明を実施するための形態】
【００１８】
以下、本発明の実施例を図面に基づいて説明する。まず、既設波形屋根Ａは、図６に示すように、既設波形屋根板１，構造材２及び既設ボルト３とから構成される。既設波形屋根板１は、スレート，合成樹脂或いは金属等で形成され、その断面形状は、略サインカーブ状の波形に形成されている。
【００１９】
既設波形屋根板１の高さ方向の上方部分を波形の弧状山形部１１とし、下方を部分を波形の弧状底部１２と称する。構造材２は、具体的にはリップ溝形鋼等の断面略Ｃ字形状の形鋼材が使用されることが好ましい。そして、既設ボルト３は、前記構造材２に固着されている。既設ボルト３は、螺子軸部３１を有しており、該螺子軸部３１が既設波形屋根板１を貫通し、ナット４１及び座金４２にて既設波形屋根板１を構造材２に固着している。
【００２０】
支持具５は、ベース板部５１，脚部５２，屋根受け部５３である。支持具５には、種々のタイプが存在する。その第１タイプとしては、図４（Ａ）に示すように、略長方形状のベース板部５１の幅方向両側から脚部５２，５２が形成されている。前記ベース板部５１は、幅方向が短く、前後方向が長い長方形状の板片である。
【００２１】
さらに、ベース板部５１には、取付用貫通孔５４が形成されている。該取付用貫通孔５４は、前記既設ボルト３の螺子軸部３１が貫通する部位であり、ベース板部５１の幅方向に沿って長孔として形成されるものであり、また円形孔として形成されることもある。前記脚部５２の形状は、前記既設波形屋根板１の弧状山形部１１の幅方向両側の波形斜面に沿う形状としたものである。脚部５２の下端箇所は、既設波形屋根板１の弧状底部１２箇所に到達する程度の大きさとしている〔図６（Ｂ）参照〕。
【００２２】
屋根受け部５３は、前記ベース板部５１の前後方向の両端から該ベース板部５１の上方に位置するように形成されている。具体的には、ベース板部５１の前後方向両端から上方に立上り片５３ａ，５３ａが形成されたものである。屋根受け部５３は、２個形成されることとなるが、新設屋根板を施工する場合には、いずれか一方又は両方を使用するものであり、施工状況に応じて決定される。
【００２３】
支持具５の第２タイプとしては、図４（Ｂ）に示すように、ベース板部５１と屋根受け部５３とが段差部５５を介して階段形状に形成されたものである。そして、低位置側をベース板部５１とし、高位置側を屋根受け部５３としている。ベース板部５１には第１タイプと同様に取付用貫通孔５４が形成される。また、ベース板部５１及び屋根受け部５３にはそれぞれの幅方向両側から脚部５２，５２が形成されている。
【００２４】
支持具５の第３タイプとしては、図４（Ｃ）に示すように、第１タイプと同様にベース板部５１の前後方向に屋根受け部５３，５３が形成されたものである。第３タイプでは、両脚部５２，５２のいずれか一方の上端より立上り片５３ａ，５３ａが形成され、該立上り片５３ａ，５３ａの上端に屋根受け部５３，５３が形成される。
【００２５】
次に、締付ナット６は、通常のナットよりも軸方向に対して長く形成されたものである（図１乃至図３参照）。具体的には、略長ナットに近似したものである。締付ナット６には、内螺子部６１が形成されている。そして、締付ナット６の軸方向端部から軸方向中間箇所との間に亘って筋状割部６２が形成されている。該筋状割部６２は、締付ナット６を直径方向に外力Ｆ，Ｆを与えていわゆるカシメを行うために設けられた部位である。
【００２６】
筋状割部６２は、直線状に形成された切込みであって、該筋状割部６２の一端は、締付ナット６の軸方向端部に位置して切込みの開放側６２ａとなっている。また、筋状割部６２の他端で、締付ナット６の軸方向中間位置に相当する位置は、筋状割部６２の終端側６２ｂとする。筋状割部６２は、略長方形状に形成されたものであり、その幅方向の両側端縁６２ｃ，６２ｃの離間幅は適宜に設定される。
【００２７】
前記締付ナット６の筋状割部６２は、１本形成される。筋状割部６２が形成される箇所は、締付ナット６の六角を構成する外周で平坦面６ａを構成する位置に形成される〔図３（Ａ）参照〕。また、特に図示しないが、筋状割部６２は、締付ナット６の六角を構成する角部箇所に形成されることもある。
【００２８】
さらに、締付ナット６の筋状割部６２は、複数本が形成されることもある。具体的には締付ナット６を構成する外周において、その対向する平坦面６ａ，６ａに形成される〔図３（Ｃ）参照〕。この場合、一つの締付ナット６には、２本の筋状割部６２が形成されることになる。筋状割部６２は、締付ナット６を直径方向両側から外力Ｆ，Ｆをかけて、いわゆるカシメを行うときに、カシメ変形が生じ易いようにさせるものである。ここでカシメとは、締付ナット６の直径方向に対向する外力Ｆ，Ｆを与えて塑性変形を起こさせることをいう。
【００２９】
すなわち、外力Ｆ，Ｆを締付ナット６の直径方向両側から与えることにより、筋状割部６２の両側端縁６２ｃ，６２ｃの離間幅が狭くなり、筋状割部６２の形成領域で締付ナット６は直径方向に収縮させるものである。このとき内螺子部６１の内径も外力Ｆ，Ｆがかかる方向において収縮し、内螺子部６１の形状は略楕円形状となる。これによって内螺子部６１は、螺合する既設ボルト３の螺子軸部３１と強固に噛み合い接触することになる。
【００３０】
前述したように、締付ナット６が外力Ｆ，Ｆをかけてカシメを行い、直径方向に収縮するのは筋状割部６２が形成された範囲であり、筋状割部６２が形成されない領域は、カシメ変形も行われず、内螺子部６１にも変形は生じない。したがって、筋状割部６２は、締付ナット６の軸方向端部から軸方向中間位置に形成されているので、締付ナット６のカシメ変形は、軸方向端部からの軸方向中間位置の範囲迄となる。
【００３１】
これによって、締付ナット６は、筋状割部６２による、力学的強度の劣化を防止し、一定の強度を維持することができる。締付ナット６の軸方向中間部に位置する筋状割部６２の端部には、該筋状割部６２の両側端縁６２ｃ，６２ｃの離間幅よりも直径が大きい孔部６３が形成されることもある〔図３（Ｂ）参照〕。該孔部６３が形成されることによって、締付ナット６のカシメによって、筋状割部６２の離間幅が狭め易い構造にすることができる。
【００３２】
また、前記締付ナット６の軸方向長さは、前記ベース板部５１と前記屋根受け部５３との間隔と同等又は小なるものとする構成としている。すなわち、締付ナット６は、既設ボルト３の螺子軸部３１に螺合して支持具５を弧状山形部１１に固定した状態で、締付ナット６が屋根受け部５３から突出しないようにしている。これは、屋根受け部５３に新設屋根板７を施工するときに、該新設屋根板７と締付ナット６とが干渉しないようにするためである。
【００３３】
新設屋根板７は、図６に示すように、主板７１の幅方向両側に重合山形部７２と被重合山形部７３が形成されている。重合山形部７２及び被重合山形部７３は、略台形状に形成されている。隣接する新設屋根板７，７の被重合山形部７３に重合山形部７２が重合されて、新設屋根板７，７同士が連結されるようになっている。
【００３４】
まず、被重合山形部７３が既設波形屋根Ａの弧状山形部１１の頂部に既設ボルト３と締付ナット６にて固定された支持具５の屋根受け部５３に載置される。既に支持具５上に被重合山形部７３を載置した新設屋根板７に隣接する新設屋根板７の重合山形部７２を前記被重合山形部７３上に重合する。そして、重合する被重合山形部７３と重合山形部７２にドリルビス等の固着具８にて、前記支持具５の屋根受け部５３に固定する。これを順次繰り返すことにより、新設屋根Ｂが施工される。
【００３５】
既設波形屋根Ａの弧状山形部１１上に支持具５を既設ボルト３と締付ナット６とによって固着するときに、締付ナット６は、筋状割部６２の端部開放側６２ａをベース板部５１と反対側つまり上方側となるようにして既設ボルト３の螺子軸部３１と螺合させるものである（図２参照）。これによって、締付ナット６の軸方向上方側に外力Ｆ，Ｆを与えることとなり、カシメを行うので、比較的カシメ作業が行い易くなる〔図２（Ｂ）参照〕。
【００３６】
また、締付ナット６は、筋状割部６２の端部開放側６２ａをベース板部５１に対向するようにして設置することもある（図５参照）。つまり、筋状割部６２が締付ナット６の軸方向下方側となるようにして既設ボルト３と螺合させる。この場合では、締付ナット６のカシメ部分は、既設ボルト３の螺子軸部３１はベース板部５１付近の根本部と強固に螺合することになる〔図５（Ｂ）参照〕。
【符号の説明】
【００３７】
Ａ…既設波形屋根、２…構造材、３…既設ボルト、３１…螺子軸部、５…支持具、
５１…ベース板部、５３…屋根受け部、５４…取付用貫通孔、６…締付ナット、
６２…筋状割部、７…新設屋根板材。
【図１】
2013227735.tif 000003
【図２】
2013227735.tif 000004
【図３】
2013227735.tif 000005
【図４】
2013227735.tif 000006
【図５】
2013227735.tif 000007
【図６】
2013227735.tif 000008